(57)【要約】  【課題】股間装着物をしっかりと安定して人体に装着することのできる簡易な構成の装着部材を提供する。  【解決手段】装着部材１は、牽引紐１０と、牽引紐１０の所定の場所を股間装着物に接続するための留め具２０であって、牽引紐１０の一端から他端へと順に設置された右後留め具２０−２、右前留め具２０−１、左前留め具２０−３及び左後留め具２０−４を有する留め具２０と、を備え、人体への装着時に、股間装着物の前側端部と後側端部とを、右側牽引紐１０−１が人体の右足太腿部分の右側回りで、左側牽引紐１０−２が左足太腿部分の左側回りで連結して牽引し、股間装着物の前側端部の二箇所を後側牽引紐１０−３が人体の後側回りで連結して牽引する。【選択図】図１
2015213625.tif 000002
【特許請求の範囲】
【請求項１】
股間装着物を人体に対して装着するための装着部材において、
牽引紐と、
前記牽引紐の所定の場所を前記股間装着物に接続するための留め具であって、前記牽引紐の一端から他端へと順に設置された右後留め具、右前留め具、左前留め具及び左後留め具を有する留め具と、を備え、
人体への装着時に、
前記牽引紐の前記右後留め具と前記右前留め具との間が、右側牽引紐として前記股間装着物の前側端部と後側端部とを人体の右足太腿部分の右側回りで連結して牽引し、
前記牽引紐の前記左後留め具と前記左前留め具との間が、左側牽引紐として前記股間装着物の前側端部と後側端部とを人体の左足太腿部分の左側回りで連結して牽引し、
前記牽引紐の前記右前留め具と前記左前留め具との間が、後側牽引紐として前記股間装着物の前側端部の二箇所を人体の後側回りで連結して牽引するように構成されていることを特徴とする装着部材。
【請求項２】
前記右後留め具、右前留め具、左前留め具及び左後留め具のうち少なくとも一つが前記牽引紐に対してスライド可能に設置されていることを特徴とする請求項１記載の装着部材。
【請求項３】
前記右前留め具及び前記左前留め具が前記牽引紐に対してスライド可能に設置され、前記右後留め具及び前記左後留め具が前記牽引紐に対して固定されていることを特徴とする請求項１記載の装着部材。
【請求項４】
前記牽引紐は、全体の長さを調節可能な長さ調整具を備えていることを特徴とする請求項１乃至３何れか１項記載の装着部材。
【発明の詳細な説明】
【技術分野】
【０００１】
本発明は、股間に装着される股間装着物を人体に対して装着するための装着部材に関する。
【背景技術】
【０００２】
従来から、女性の生理用のナプキンとして、繰り返し洗って使用できる布ナプキンが提供されており、例えば、下記特許文献１に開示されている。
【０００３】
また、本発明者らは、下記特許文献２〜４に開示されているように、陰茎を筒型布状部材に挿入した状態で股間に押しつけてしっかりと安定して固定するための男性用筒形下着を提供している。
【先行技術文献】
【特許文献】
【０００４】
【特許文献１】特開２００４−３３７２０４号公報
【特許文献２】特許第４１７７４４８号公報
【特許文献３】登録実用新案第３１４３２８５号公報
【特許文献４】特許第４７３３２０２号公報
【発明の概要】
【発明が解決しようとする課題】
【０００５】
布ナプキンの装着にあたって、従来の布ナプキンは、一般に、両サイドに幅広のウィング部を設け、このウィング部を折り返して女性用ショーツを挟み込むことで、股間に装着されている。
【０００６】
また、特許文献２〜４においては、男性用下着の装着にあたって、筒形下着の前後端部に装着用の紐を設置しておき、この紐の他端を人体又は人体に装着された部材に固定することで、筒形下着が股間に装着されている。
【０００７】
しかし、従来の布ナプキンのウィング部を折り返して装着する方法では、固定が十分ではなく、装着者が足を動かしたりした際に布ナプキンがずれるといった問題がある。また、上述した筒形下着の装着方法でも固定が十分ではなかったり、装着方法が難しいといった問題があった。
【０００８】
本発明は、このような課題に鑑みてなされたものであり、股間装着物をしっかりと安定して人体に装着することのできる簡易な構成の装着部材を提供することを目的とする。
【課題を解決するための手段】
【０００９】
上記課題を解決するための本発明に係る装着部材は、股間装着物を人体に対して装着するための装着部材において、牽引紐と、前記牽引紐の所定の場所を前記股間装着物に接続するための留め具であって、前記牽引紐の一端から他端へと順に設置された右後留め具、右前留め具、左前留め具及び左後留め具を有する留め具と、を備え、人体への装着時に、前記牽引紐の前記右後留め具と前記右前留め具との間が、右側牽引紐として前記股間装着物の前側端部と後側端部とを人体の右足太腿部分の右側回りで連結して牽引し、前記牽引紐の前記左後留め具と前記左前留め具との間が、左側牽引紐として前記股間装着物の前側端部と後側端部とを人体の左足太腿部分の左側回りで連結して牽引し、前記牽引紐の前記右前留め具と前記左前留め具との間が、後側牽引紐として前記股間装着物の前側端部の二箇所を人体の後側回りで連結して牽引するように構成されていることを特徴とする。
【発明の効果】
【００１０】
本発明に係る装着部材によれば、簡易な構成で股間装着物をしっかりと安定して装着することができる。
【図面の簡単な説明】
【００１１】
【図１】図１は、本発明の実施形態に係る装着部材の平面図である。
【図２】図２は、本発明の実施形態に係る装着部材により布ナプキンを装着した状態を示す斜視図である。
【図３】図３は、本発明の実施形態に係る装着部材を用いた装着手順を説明するための平面図である。
【図４】図４は、本発明の実施形態の変形例１に係る装着部材の平面図である。
【図５】図５は、本発明の実施形態の変形例２に係る筒形下着の斜視図である。
【図６】図６は、本発明の実施形態の変形例２に係る筒形下着を装着した状態を示す斜視図である。
【発明を実施するための形態】
【００１２】
以下、図面を参照しながら本発明の実施の形態について詳細に説明する。図１は、本発明の実施形態に係る装着部材の平面図である。図２は、本発明の実施形態に係る装着部材により布ナプキンを人体に装着した状態の斜視図である。図２において、人体を二点鎖線で示している。
【００１３】
本実施形態では、人体の股間下方近傍に設置されて装着部材１により装着される股間装着物として、女性用の布ナプキン５０を例に挙げて説明するが、女性用だけでなく男性用も含めて、様々な股間装着物を装着部材１により人体に装着することができる。
【００１４】
装着部材１は、一本の長尺の紐状部材である牽引紐１０と、牽引紐１０を布ナプキン５０に接続するための留め具２０とを備えている。牽引紐１０は、装着時に人体の太腿右側に位置する右側牽引紐１０−１と、装着時に人体の太腿左側に位置する左側牽引紐１０−２と、右側牽引紐１０−１と左側牽引紐１０−２とを連結する残りの部分であって、装着時に腰の部分で人体の後側に回される後側牽引紐１０−３とから構成されている。
【００１５】
牽引紐１０は、ストッキング素材の布を丸めて作った伸縮性の高いストッキング製紐であり、伸縮率が2.5倍と伸縮性の高い紐である。本実施形態では、右側牽引紐１０−１、左側牽引紐１０−２及び後側牽引紐１０−３が全て連続した一本のストッキング製紐から構成されている。
【００１６】
留め具２０として、装着部材１は、牽引紐１０の一方の端部（図１において左上の端部）から他端に向けて順に設置された右後留め具２０−２、右前留め具２０−１、左前留め具２０−３及び左後留め具２０−４を備えている。
【００１７】
右後留め具２０−２は、牽引紐１０の端部（図１において左上の端部）に固定設置され、右前留め具２０−１は、右後留め具２０−２から所定の距離離れた位置に牽引紐１０に対してスライド可能に設置されている。左後留め具２０−４は、牽引紐１０の他方の端部（図１において左下の端部）に固定設置され、左前留め具２０−３は、左後留め具２０−４から所定の距離離れた位置に装着紐１０に対してスライド可能に設置されている。
【００１８】
ここで、股間に布ナプキン５０を装着する際には、右前留め具２０−１が布ナプキン５０の右前端部、右後留め具２０−２が布ナプキン５０の右後端部、左前留め具２０−３が布ナプキン５０の左前端部、左後留め具２０−４が布ナプキン５０の左後端部に接続される。
【００１９】
よって、牽引紐１０において、右前留め具２０−１と右後留め具２０−２との間が右側牽引紐１０−１となり、右前留め具２０−１と左前留め具２０−３との間が後側牽引紐１０−３となり、左前留め具２０−３と左後留め具２０−４との間が左側牽引紐１０−２となる。言い換えれば、右前留め具２０−１は、右側牽引紐１０−１と後側牽引紐１０−３との境界部に位置し、左前留め具２０−３は、左側牽引紐１０−２と後側牽引紐１０−３との境界部に位置する。
【００２０】
本実施形態では、留め具２０は、女性用ブラジャーの連結部等に利用されるゼットカンを用いている。また、布ナプキン５０側には、後述するように、ゼットカンを引っ掛けるための引掛輪５３が設置されている。
【００２１】
本実施形態では、右前留め具２０−１及び左前留め具２０−３を牽引紐１０に対してスライド可能に設置しており、左前留め具２０−１の位置や右前留め具２０−３の位置を変えることで、右側牽引紐１０−１や左側牽引紐１０−２の長さを調整でき、布ナプキン５０のサイズや装着者の体型に合わせて装着部材１のサイズ調整を行うことができる。
【００２２】
なお、全ての留め具２０を牽引紐１０に対して固定するように設置しても良いし、全ての留め具２０を牽引紐１０に対してスライド可能に設置しても良い。また、本実施形態のように、所定の留め具２０のみをスライド可能に設置しても良い。
【００２３】
次に、布ナプキン５０は、ナプキン本体５１と、装着部材１の留め具２０を接続するための引掛輪５３とを備えている。引掛輪５３として、布ナプキン５０は、人体への装着状態において、ナプキン本体５１の右前端部に設置された右前引掛輪５３−１、右後端部に設置された右後引掛輪５３−２、左前端部に設置された左前引掛輪５３−３、左後端部に設置された左後引掛輪５３−４を備えている。
【００２４】
図２に示すように、布ナプキン５０の人体への装着時には、右前留め具２０−１が右前引掛輪５３−１に接続され、右後留め具２０−２が右後引掛輪５３−２に接続され、左前留め具２０−３が左前引掛輪５３−３に接続され、左後留め具２０−４が左後引掛輪５３−４に接続される。
【００２５】
そして、右前留め具２０−１と右後留め具２０−２との間に位置する右側牽引紐１０−１は、人体の右足太腿部分の右側回りで前後に延在し、布ナプキン５０の右前端部（右前引掛輪５３−１）と右後端部（右後引掛輪５３−２）とを、右足太腿右側回りで連結して引き寄せる。左前留め具２０−３と左後留め具２０−４との間に位置する左側牽引紐１０−２は、人体の左足太腿部分の左側回りで前後に延在し、布ナプキン５０の左前端部（左前引掛輪５３−３）と左後端部（左後引掛輪５３−４）とを、左足太腿左側回りで連結して引き寄せる。
【００２６】
また、右前留め具２０−１と左前留め具２０−３との間に位置する後側牽引紐１０−３は、人体の腰の部分において左右両側から腰の後側に回り込んで延在し、布ナプキン５０の右側の右前端部（右前引掛輪５３−１）と左前端部（左前引掛輪５３−３）とを、人体の後側回りで連結して引き寄せる。
【００２７】
このように、装着部材１は、布ナプキン５０の前側部分と後側部分とを人体の右側回り及び左側回りで連結牽引すると共に、布ナプキン５０の前側部分の二箇所を人体の後側回りで連結牽引しているので、布ナプキン５０を安定してしっかりと股間に装着することができる。
【００２８】
続いて、装着部材１を用いて、布ナプキン５０を人体に装着する際の装着手順の一例について説明する。図３は、本実施形態に係る装着部材を用いた装着手順を説明するための平面図である。装着にあたっては、まず、図３に示すように、装着部材１の後側の留め具２０である右後留め具２０−２及び左後留め具２０−４を、布ナプキン５０の後側の引掛輪５３である右後引掛輪５３−２及び左後引掛輪５３−４に接続する。
【００２９】
接続後、布ナプキン５０の後側端部が後方に位置する状態で、布ナプキン５０を股間の下方で人体の前後方向に延在するように配置する。続いて、右側牽引紐１０−１との後側牽引紐１０−３との境界部に位置する右前留め具２０−１を、後方から人体の右側を回して前方に引っ張り、布ナプキン５０の右前引掛輪５３−１に引っ掛けて留める。引き続き、左側牽引紐１０−２と後側牽引紐１０−３との境界部に位置する左前留め具２０−３を、後方から人体の左側を回して前方に引っ張り、布ナプキン５０の左前引掛輪５３−３に引っ掛けて留める。
【００３０】
これにより、人体の右足太腿部分の右側回りで布ナプキン５０の前側部分と後側部分とが連結して牽引され、人体の左足太腿部分の左側回りで布ナプキン５０の前側部分と後側部分とが連結して牽引されると共に、布ナプキン５０の前側部分の二箇所（右前引掛輪５３−１及び左前引掛輪５３−３の設置箇所）が人体の後側回りで連結して牽引される。
【００３１】
より詳細には、布ナプキン５０の右前部分（右前引掛輪５３−１）は、右側牽引紐１０−１により略水平に後方に引っ張られると共に、後側牽引紐１０−３により斜め上方に後方に引っ張られ、右後部分（右後引掛輪５３−２）は、右側牽引紐１０−１により略水平に前方に引っ張られる。
【００３２】
また、布ナプキン５０の左前部分（左前引掛輪５３−３）は、左側牽引紐１０−２により略水平に後方に引っ張られると共に、後側牽引紐１０−３により斜め上方に後方に引っ張られ、左後部分（左後引掛輪５３−４）は、左側牽引紐１０−２により略水平に前方に引っ張られる。これにより、布ナプキン５０が股間の部分にしっかりと装着される。そして、右側牽引紐１０−１、左側牽引紐１０−２及び後側牽引紐１０−３の高さを適宜調整すれば、装着部材１を用いた布ナプキン５０の装着が完了する。
【００３３】
以上説明した装着手順によれば、布ナプキン５０の装着にあたって、足を一切上げる必要なく、両足を地面に付けた状態のままで行うことができる。もちろん、装着の手順は適宜変更可能であり、布ナプキン５０の後側部分だけでなく、前側部分と装着部材１との接続を済ませてから、通常のショーツを穿くように足を通して装着するようにしても良い。
【００３４】
以上、詳細に説明した装着部材１によれば、全体として一本の牽引紐１０と、留め具２０とから構成された簡易な部材により、しっかりと安定して布ナプキン５０を人体の股間部分に装着することができる。
【００３５】
また、装着部材１により布ナプキン５０を装着した状態で、その上に通常のショーツを穿けば、基本的に紐状の部材である装着部材１は、外に露出せずに、外から見えなくなる。よって、通常のショーツや、競泳用水着の内部に股間装着物を装着する際に、外部に露出しないサポーターとして装着部材１を使用することができる。
【００３６】
また、装着部材１により股間装着物を装着する作業は、両足を地面に付けたまま行うことができ、一切足を上げる必要がない。よって、片足で立つのが困難な高齢者等であっても、体に負担をかけることなく、容易に装着部材１による股間装着物の装着を行うことができる。
【００３７】
また、股間装着物を牽引する牽引紐１０は、右側牽引紐１０−１が人体の右側、左側牽引紐１０−２が人体の左側、後側牽引紐１０−３が人体の左右側及び後側、を延在して人体に密着しているが、人体の前面には密着しない。よって、装着部材１によれば、装着時に腹部が圧迫されることがなく、肥満体型の人や妊婦であっても快適に装着することができる。
【００３８】
（変形例１）
続いて、本発明の実施形態の変形例１について説明する。図４は、本変形例１に係る装着部材の平面図である。上記実施形態では、牽引紐１０の全体が連続した一本の紐から構成されているが、本変形例１では、牽引紐１０Ａが、二本の紐を連結した一本の紐として構成されると共に、全体の長さが調整可能に構成されていることを特徴とする。また、本変形例１では、牽引紐１０Ａとして、ストッキング製紐ではなく、ブラジャーの肩紐等として用いられている細いテープ状紐を用いている。
【００３９】
装着部材１Ａは、牽引紐１０Ａと、留め具２０とを備えている。牽引紐１０Ａは、上記実施形態と同様に、右側牽引紐１０Ａ−１と、左側牽引紐１０Ａ−２と、後側牽引紐１０Ａ−３とから構成されると共に、長さ調整具１５をさらに備えている。但し、本変形例１では、牽引紐１０Ａは、別体の第一牽引紐１２と第二牽引紐１３とを連結して形成されている。
【００４０】
図４に示すように、第一牽引紐１２は、右側牽引紐１０Ａ−１と、後側牽引紐１０Ａ−３の一部を構成し、第二牽引紐１３と連結される側の先端が所定の長さ折り返されている。第二牽引紐１３は、左側牽引紐１０Ａ−２と、後側牽引紐１０Ａ−３の一部を構成している。
【００４１】
長さ調整具１５は、後側牽引紐１０Ａ−３の部分に設置された折返し連結具１５１と、折返し留め具１５２とを備えている。折返し連結具１５１は、第一牽引紐１２の折返し部分がスライド可能に通されると共に、第二牽引紐１３の先端が固定されており、第一牽引紐１２と第二牽引紐１３とを連結している。折返し留め具１５２は、第一牽引紐１２の折り返されていない部分がスライド可能に通されると共に、第一牽引紐１２の折返された先端部分が固定されている。
【００４２】
よって、折返し留め具１５２を第一牽引紐１２の折り返されていない部分でスライドさせると共に、折返し連結具１５１を第一牽引紐１２の折り返されている部分でスライドさせることで、第一牽引紐１２の折返し部分の長さを適宜調整することができ、これにより後側牽引紐１０Ａ−３の部分の長さを調整することができる。なお、具体的には、折返し連結具１５１及び折返し留め具１５２として、ストラップの長さ調節等に使用されるパーツであるエイトカンが使用されている。
【００４３】
このように、本変形例１においては、牽引紐１０Ａの全体の長さが調整可能であるため、右前留め具２０−１及び左前留め具２０−３のスライドと合わせて、より多様な形状やサイズの股間装着物や人体に適合するように、装着部材１Ａのサイズや形状の調整を幅広く行うことができる。
【００４４】
なお、牽引紐１０Ａの長さを調整するための構成は、上記構成に限らず、適宜変更可能であり、例えば、第一牽引紐１２の折返し長さを調整するための長さ調整具１５の代わりに、第一牽引紐１２と第二牽引紐１３とを直接結び合わせる場所を変えることで長さを調整しても良いし、第一牽引紐１２と第二牽引紐１３とを連結するために第一牽引紐１２及び／又は第二牽引紐１３に設置される連結具の設置箇所を変えることで長さを調整するようにしても良い。
【００４５】
また、折返し連結具１５１及び折返し留め具１５２として用いる部材は、エイトカンに限らず、ゼットカンやマルカン等の他のパーツを使用しても良い。折返し連結具１５１としてゼットカンを使用すると、第一牽引紐１２と第二牽引紐１３とを必要に応じて適宜分離することができる。
【００４６】
（変形例２）
続いて、本発明の実施形態の変形例２について説明する。図５は、本変形例２に係る筒形下着の斜視図であり、筒形下着を円筒形状に広げた状態を示している。図６は、本変形例２に係る筒形下着を装着した状態を示す斜視図である。
【００４７】
上記実施形態では、装着部材１により装着される股間装着物として女性用の布ナプキン５０を採用したが、本変形例２では、股間装着物として男性用の下着である筒形下着６０を採用したことを特徴としている。
【００４８】
筒形下着６０は、男性の陰茎や陰嚢を内部に収容して装着される略円筒形状の下着であり、円筒形に編まれたストッキング素材の布から形成されている。人体への装着時には、筒形下着６０は、股間の下方において略前後方向に延在するように位置する。筒形下着６０の両端は開口端となっており、前後両端には、前側開口６６及び後側開口６７がそれぞれ形成されている。
【００４９】
本変形例２に係るストッキング素材の布は、高い伸縮性を有しており、伸縮率は2.5倍である。筒形下着６０を構成する素材は、ストッキング素材の布以外の布を適宜用いることができるが、装着時の保持性や快適性を実現するためには、伸縮性の高い布を用いることが望ましく、望ましくは1.5倍以上の伸縮率、さらに望ましくは2倍以上の伸縮率を有する布を用いるのが良い。
【００５０】
筒形下着６０の前側開口６６及び後側開口６７では、端部がほつれないように、三つ折り縫いがされている。具体的には、筒形下着６０の前側開口６６の縁部は、三つ折りに折り返され、押さえ紐６６１により縫い押さえられており、後側開口６７の縁部は、三つ折りに折り返され、押さえ紐６７１により縫い押さえられている。押さえ紐６６１及び押さえ紐６７１は、ストッキング素材の布を丸めて作られた伸縮性を有するストッキング製紐である。
【００５１】
筒形下着６０の側面には、人体への装着時に陰茎や、睾丸を含む陰嚢を筒体内部に挿入するための挿入口６１が形成されている。挿入口６１は、筒形下着６０の側面をその延在方向（縦方向）に所定の長さ開口して形成されており、筒形下着６０の側面の縦方向中心よりも後側に寄った位置に形成されている。人体への装着時、筒形下着６０は、陰茎等が挿入される挿入口６１が上面（身体側）に位置することになる。
【００５２】
また、縦方向に切断することで開口された挿入口６１の両脇には、その周囲を補強するための補強紐６２が、それぞれ挿入口６１の開口縁に沿って縦方向に並縫いにより縫い込まれている。なお、挿入口６１の開口縁では、ほつれないように縁部分を折り返したうえで並縫いされている。
【００５３】
筒形下着６０を構成するストッキング素材の布は、伸縮率が2.5倍程度と高く、強い力で引っ張られると組織が破壊されて、伸びきった状態となったり、破れたりする。本変形例２のように、強度のある補強紐６２を縫い込んでおくことで、筒形下着６０を補強することができ、特に縦方向に引っ張られた際の組織の破壊を防止することができる。
【００５４】
筒形下着６０の四隅（前側開口６６及び後側開口６７の部分）には、装着部材１を接続固定するための引掛輪６３（右前引掛輪６３−１、右後引掛輪６３−２、左前引掛輪６３−３、左後引掛輪６３−４）が設置されている。
【００５５】
筒形下着６０の人体への装着時には、装着部材１の右前留め具２０−１が右前引掛輪６３−１に接続され、右後留め具２０−２が右後引掛輪６３−２に接続され、左前留め具２０−３が左前引掛輪６３−３に接続され、左後留め具２０−４が左後引掛輪６３−４に接続される。
【００５６】
そして、上記実施形態と同様に、右前留め具２０−１と右後留め具２０−２との間に位置する右側牽引紐１０−１は、人体の右足太腿部分の右側回りで前後に延在し、筒形下着６０の右前端部（右前引掛輪６３−１）と右後端部（右後引掛輪６３−２）とを、右足太腿右側回りで連結して引き寄せる。左前留め具２０−３と左後留め具２０−４との間に位置する左側牽引紐１０−２は、人体の左足太腿部分の左側回りで前後に延在し、筒形下着６０の左前端部（左前引掛輪６３−３）と左後端部（左後引掛輪６３−４）とを、左足太腿左側回りで連結して引き寄せる。
【００５７】
また、右前留め具２０−１と左前留め具２０−３との間に位置する後側牽引紐１０−３は、人体の腰の部分において左右両側から腰の後側に回り込んで延在し、筒形下着６０の右側の右前端部（右前引掛輪６３−１）と左前端部（左前引掛輪６３−３）とを、人体の後側回りで連結して引き寄せる。
【００５８】
このように、装着部材１は、筒形下着６０の前側部分と後側部分とを人体の右側回り及び左側回りで連結牽引すると共に、筒形下着６０の前側部分の二箇所を人体の後側回りで連結牽引しているので、筒形下着６０を安定してしっかりと股間に装着することができる。
【００５９】
なお、引掛輪６３の前後側開口６６，６７での開口周りの位置に関して、前側の引掛輪６３−１，６３−３は、前側開口６６を略円形に開いた状態で、最上部Ｘを0°として左右に80°の位置に設置されている。よって、筒形下着６０の前側開口６６において、人体への装着時に右前引掛輪６３−１と左前引掛輪６３−３により挟まれる上側（身体側）の領域は160°となり、右前引掛輪６３−１と左前引掛輪６３−３とにより挟まれる下側（外側）の領域は200°となる。
【００６０】
また、後側の引掛輪６３−２，６３−４は、後側開口７７を略円形に開いた状態で、最上部Ｙを0°として左右に60°の位置に設置されている。よって、筒形下着６０の後側開口６７において、人体への装着時に、右後引掛輪６３−２と左後引掛輪６３−４とにより挟まれる上側（身体側）の領域は120°となり、右後引掛輪６３−２と左後引掛輪６３−４とにより挟まされる下側（外側）の領域は240°となる。
【００６１】
引掛輪６３が装着部材１により前方又は後方から引っ張られると、布製の筒形下着６０のうち左右の引掛輪６３により上側（身体側）で挟まれた領域は人体に押し付けられ、左右の引掛輪６３により下側（外側）で挟まれた領域が実質的に陰茎や陰嚢に密着して保持する。
【００６２】
よって、陰茎や陰嚢を締め付けすぎないように、本変形例２のように、引掛輪６３を、最上部Ｘ，Ｙ（0°）から左右に90°の位置よりも上側（身体側）に設置し、両側の引掛輪６３により下側（外側）で挟まれた領域を上側よりも広くするのが望ましい。なお、引掛輪６３の開口周りの位置を調整することで、筒形下着６０を装着したときの陰茎や陰嚢の締め付け具合を調整することができる。
【００６３】
以上、変形例も含めて本発明の実施形態について説明したが、本発明の実施の形態は、上記実施形態に限定されるものではなく、本発明の主旨を逸脱しない範囲内で種々の変形が可能である。例えば、装着部材を構成する部材の素材やサイズ、形状等は適宜変更可能である。
【００６４】
また、装着部材の牽引紐と股間装着物とを接続する部材は、留め具（ゼットカン）と引掛輪との組み合わせに限らず、種々の接続部材を採用することができる。例えば、ボタン類でも良いし、紐同士を手で結ぶ構成でも良い。また、接続部材として、ストッキング等を吊り下げるガーターベルト用のガーターボストンを用いれば、筒形下着に引掛輪等のフックを設置することなく、装着部材と筒形下着とを接続することができる。
【００６５】
また、牽引紐も、ストッキング製紐や細いテープ状紐に限らず、ゴム紐等、適宜他の素材や形状の紐を採用することができる。また、装着部材の装着対象である股間装着物についても、女性用の布ナプキンや男性用の筒形下着に限らず、人体の股間部分に略前後に延在して設置される装着物であれば、適宜本発明に係る装着部材により装着することができる。
【００６６】
また、股間装着物の前側端部の二箇所を人体の後側回りで連結して牽引する後側牽引紐は、腰の部分で後に回す場合に限らず、人体の部分で後側に回しても良い。例えば、後側牽引紐の部分を長くしたうえで、肩越しに首の後に回すように構成しても良い。
【符号の説明】
【００６７】
１      装着部材
１０    牽引紐
１２    第一牽引紐
１３    第二牽引紐
１５    長さ調整具
１５１  折返し連結具
１５２  折返し留め具
２０    留め具
５０    布ナプキン
５１    ナプキン本体
５３    引掛輪
６０    筒形下着
６１    挿入口
６２    補強紐
６３    引掛輪
６６    前側開口
６６１  押さえ紐
６７    後側開口
６７１  押さえ紐
【図１】
2015213625.tif 000003
【図２】
2015213625.tif 000004
【図３】
2015213625.tif 000005
【図４】
2015213625.tif 000006
【図５】
2015213625.tif 000007
【図６】
2015213625.tif 000008